(57)【要約】      （修正有）【課題】プロジェクションシステムの光量調整方法、プロジェクションシステム、及びプロジェクタの提供。【解決手段】重ね合わせ領域の光量を調整するプロジェクションシステムの光量調整方法は、プロジェクタの投射画像における重ね合わせ領域の内側端部から外側端部に向かう光量減衰曲線を複数設定する第１手順Ｓ２と、各光量減衰曲線に応じた表示画像を前記重ね合わせ領域に同時に表示する第２手順Ｓ３と、同時に表示された複数の表示画像の中から、最も良好な表示となる表示画像を選択する第３手順Ｓ５と、選択された表示画像に係る光量減衰曲線に基づいて、再度複数の異なる光量減衰曲線を設定する第４手順Ｓ２とを実施し、第１手順乃至第４手順Ｓ２、Ｓ３、Ｓ５を再帰的に繰り返すことで最適な光量減衰曲線を選択する。【選択図】図６
2009237051.tif 000002
【特許請求の範囲】
【請求項１】
複数のプロジェクタからの投射画像の端部領域を重ね合わせ、全体画像を形成するプロジェクションシステムにおける、重ね合わせ領域の光量を調整するプロジェクションシステムの光量調整方法であって、
前記プロジェクタの投射画像における重ね合わせ領域の内側端部から外側端部に向かう光量減衰曲線を複数設定する第１手順と、
各光量減衰曲線に応じた表示画像を前記重ね合わせ領域に同時に表示する第２手順と、
同時に表示された複数の表示画像の中から、最も良好な表示となる表示画像を選択する第３手順と、
選択された表示画像に係る光量減衰曲線に基づいて、再度複数の異なる光量減衰曲線を設定する第４手順とを実施し、
前記第１手順乃至前記第４手順を再帰的に繰り返すことで最適な光量減衰曲線を選択することを特徴とするプロジェクションシステムの光量調整方法。
【請求項２】
請求項１に記載のプロジェクションシステムの光量調整方法において、
前記プロジェクタの投射画像の端部から内側に向かう位置をｘ、重ね合わせ領域における光量の強度を決定する補正パラメータをＧとしたときに、前記光量減衰曲線Ｆ（ｘ，Ｇ）は、下記式（１）で与えられることを特徴とするプロジェクションシステムの光量調整方法。
Ｆ（ｘ，Ｇ）＝ｘＧ・・・（１）
【請求項３】
請求項２に記載のプロジェクションシステムの光量調整方法において、
前記複数の光量減衰曲線は、基準値Ｇよりも小さな変化量ΔＧを設定し、
Ｆ（ｘ，Ｇ−ΔＧ）、Ｆ（ｘ，Ｇ）、Ｆ（ｘ，Ｇ＋ΔＧ）
であり、
前記第３手順でＦ（ｘ，Ｇ−ΔＧ）又はＦ（ｘ，Ｇ＋ΔＧ）に基づく表示画像が選択され、
前記第４手順において、前記第３手順で選択された光量減衰曲線以外の光量減衰曲線に基づく表示画像、又はＦ（ｘ，Ｇ）に基づく表示画像が選択されたときに、ΔＧの値を小さくする第５手順を実施することを特徴とするプロジェクションシステムの光量調整方法。
【請求項４】
請求項１乃至請求項３のいずれかに記載のプロジェクションシステムの光量調整方法において、
前記複数のプロジェクタのうち、隣接する第１プロジェクタ及び第２プロジェクタにおいて、
前記第１プロジェクタで前記第１手順乃至前記第３手順を実施した後に、前記第１プロジェクタにおける前記重ね合わせ領域の表示画像を、前記第３手順で選択された良好な表示画像とし、
前記第２プロジェクタで前記第１手順乃至前記第３手順を実施した後、前記第１プロジェクタで前記第４手順を実施し、
これらの手順を前記第１プロジェクタ及び前記第２プロジェクタで交互に実施していくことを特徴とするプロジェクションシステムの光量調整方法。
【請求項５】
投射画像の端部領域が重ね合わされ、全体画像を形成する複数のプロジェクタと、前記複数のプロジェクタの投射画像の表示を制御する表示制御装置とを備えたプロジェクションシステムであって、
投射画像の重ね合わせ領域を撮像する撮像装置を備え、
前記表示制御装置は、
前記プロジェクタの投射画像における重ね合わせ領域の内側端部から外側端部に向かう光量減衰曲線を複数設定する光量減衰曲線設定手段と、
前記光量減衰曲線設定手段で設定された複数の光量減衰曲線に基づく複数の表示画像を、前記重ね合わせ領域に同時に表示する画像同時表示手段と、
同時に表示された複数の表示画像を、前記撮像装置で撮像して取り込む撮像信号取込手段と、
前記撮像信号取込手段で取り込まれた前記重ね合わせ領域の撮像信号に基づいて、該重ね合わせ領域の特徴量を解析する特徴量解析手段と、
前記特徴量解析手段の解析結果に基づいて、前記複数の表示画像の中からいずれかの表示画像を選択する表示画像選択手段とを備え、
前記光量減衰曲線設定手段は、
前記表示画像選択手段で選択された表示画像に係る光量減衰曲線に基づいて、異なる光量減衰曲線を設定することを特徴とするプロジェクションシステム。
【請求項６】
光源から射出された光束を、入力される画像信号に応じて変調して光学像を形成し、投射するプロジェクタであって、
他のプロジェクタの投射画像の端部領域を重ね合わせ、全体画像を形成するように用いられ、
投射画像の重ね合わせ領域を撮像する撮像装置と、
前記プロジェクタの投射画像における重ね合わせ領域の内側端部から外側端部に向かう光量減衰曲線を複数設定する光量減衰曲線設定手段と、
前記光量減衰曲線設定手段で設定された複数の光量減衰曲線に基づく複数の表示画像を、前記重ね合わせ領域に同時に表示する画像同時表示手段と、
同時に表示された複数の表示画像を、前記撮像装置で撮像して取り込む撮像信号取込手段と、
前記撮像信号取込手段で取り込まれた前記重ね合わせ領域の撮像信号に基づいて、該重ね合わせ領域の特徴量を解析する特徴量解析手段と、
前記特徴量解析手段の解析結果に基づいて、前記複数の表示画像の中からいずれかの表示画像を選択する表示画像選択手段とを備え、
前記光量減衰曲線設定手段は、
前記表示画像選択手段で選択された表示画像に係る光量減衰曲線に基づいて、異なる光量減衰曲線を設定することを特徴とするプロジェクタ。
【発明の詳細な説明】
【技術分野】
【０００１】
本発明は、プロジェクションシステムの光量調整方法、プロジェクションシステム、及びプロジェクタに関する。
【背景技術】
【０００２】
従来、複数のプロジェクタからの投射画像の端部領域を重ね合わせ、全体画像を形成するいわゆるタイリング表示によるプロジェクションシステムが知られている。このタイリング表示のプロジェクションシステムでは、投射画像の端部領域を重ね合わせることにより、シームレスな大型の画像を形成することができ、かつ複数のプロジェクタによる高解像度の大画面を形成することができる、という利点がある。
ところで、このようなタイリング表示のプロジェクションシステムでは、投射画像の重ね合わせ領域では、隣接するプロジェクタのそれぞれの光が重ね合わされるため、重ね合わせ領域の部分だけ明るくなり、そのままでは継ぎ目が観察者に視認されてしまう。
【０００３】
このため、重ね合わせ領域の部分の減光処理を行って、継ぎ目を視認しにくくする必要があるが、重ね合わせ領域の減光処理方法としては、投射レンズの前に投射画像の端部画像を遮る遮光板を設ける光学的手法と、各プロジェクタに入力される画像信号において、重ね合わせ領域に相当する部分の光量を減衰させる補正処理を行うソフトウェア的手法がある。
そして、ソフトウェア的手法として、重ね合わせ領域をカメラで撮像し、撮像信号に基づいて、調整を行うことが提案されている（例えば、特許文献１参照）。
【０００４】
【特許文献１】特開２００５−３９８４９号公報
【発明の開示】
【発明が解決しようとする課題】
【０００５】
しかしながら、前記特許文献１に記載の技術では、カメラに対して求める解像度などの要求性能が十分に高くないと、正しい効果が得られず、プロジェクションシステムのコストが高騰してしまうという問題がある。
【０００６】
本発明の目的は、重ね合わせ領域の適切な減光処理を簡単に、かつコストをかけずに実現することのできるプロジェクションシステムの光量調整方法、プロジェクションシステム、及びプロジェクタを提供することにある。
【課題を解決するための手段】
【０００７】
本発明に係るプロジェクションシステムは、
複数のプロジェクタからの投射画像の端部領域を重ね合わせ、全体画像を形成するプロジェクションシステムにおける、重ね合わせ領域の光量を調整するプロジェクションシステムの光量調整方法であって、
前記プロジェクタの投射画像における重ね合わせ領域の内側端部から外側端部に向かう光量減衰曲線を複数設定する第１手順と、
各光量減衰曲線に応じた表示画像を前記重ね合わせ領域に同時に表示する第２手順と、
同時に表示された複数の表示画像の中から、最も良好な表示となる表示画像を選択する第３手順と、
選択された表示画像に係る光量減衰曲線に基づいて、再度複数の異なる光量減衰曲線を設定する第４手順とを実施し、
前記第１手順乃至前記第４手順を再帰的に繰り返すことで最適な光量減衰曲線を選択することを特徴とする。
【０００８】
この発明によれば、複数の光量減衰曲線に基づく複数の表示画像の中から最も良好な表示となる表示画像を選択し、選択された表示画像に係る光量減衰曲線に基づいて、再度異なる光量減衰曲線を設定し、前記選択された光量減衰曲線、及び異なる光量減衰曲線に基づいて、複数の表示画像を同時に表示し、再帰的に良好な表示画像を選択している。
従って、最終的に最も良好な光量減衰曲線に収束することとなり、タイリング表示における重ね合わせ領域の適切な減光処理を行うことができ、かつ高精度のカメラ等も必要としないため、プロジェクションシステムのコストがかかることもない。
【０００９】
本発明では、
前記プロジェクタの投射画像の端部から内側に向かう位置をｘ、重ね合わせ領域における光量の強度を決定する補正パラメータをＧとしたときに、前記光量減衰曲線Ｆ（ｘ，Ｇ）は、下記式（１）で与えられるのが好ましい。
Ｆ（ｘ，Ｇ）＝ｘＧ・・・（１）
この発明によれば、極めて簡単な多項式で光量減衰曲線Ｆ（ｘ，Ｇ）を設定しているため、補正パラメータＧを変化させるだけで、簡単に複数の光量減衰曲線Ｆ（ｘ，Ｇ）を設定することができる。
【００１０】
本発明では、
前記複数の光量減衰曲線は、基準値Ｇよりも小さな変化量ΔＧを設定し、
Ｆ（ｘ，Ｇ−ΔＧ）、Ｆ（ｘ，Ｇ）、Ｆ（ｘ，Ｇ＋ΔＧ）
であり、
前記第３手順でＦ（ｘ，Ｇ−ΔＧ）又はＦ（ｘ，Ｇ＋ΔＧ）に基づく表示画像が選択され、
前記第４手順において、前記第３手順で選択された光量減衰曲線以外の光量減衰曲線に基づく表示画像、又はＦ（ｘ，Ｇ）に基づく表示画像が選択されたときに、ΔＧの値を小さくする第５手順を実施するのが好ましい。
この発明によれば、第３手順でＦ（ｘ，Ｇ＋ΔＧ）又はＦ（ｘ，Ｇ−ΔＧ）が選択され、その次の第４手順でこれ以外の光量減衰曲線が選択されたということは、変化の傾向が第３手順と第４手順で異なることを意味し、その近傍に最適なＧの値があるということであるから、第５手順でΔＧを小さくし、再度第１手順から第４手順を繰り返すことにより、より高精度に最適なＧの値を求めることができる。
【００１１】
本発明では、
前記複数のプロジェクタのうち、隣接する第１プロジェクタ及び第２プロジェクタにおいて、
前記第１プロジェクタで前記第１手順乃至前記第３手順を実施した後に、前記第１プロジェクタにおける前記重ね合わせ領域の表示画像を、前記第３手順で選択された良好な表示画像とし、
前記第２プロジェクタで前記第１手順乃至前記第３手順を実施した後、前記第１プロジェクタで前記第４手順を実施し、
これらの手順を前記第１プロジェクタ及び前記第２プロジェクタで交互に実施していくのが好ましい。
この発明によれば、重ね合わせ領域は、隣接する２つのプロジェクタの投射画像の光量を調整する必要があるため、第１プロジェクタ及び第２プロジェクタで第１手順乃至第３手順を交互に実施することにより、第１プロジェクタ及び第２プロジェクタのそれぞれのより適切な光量減衰曲線を徐々に求め、最終的に両方の最適な光量減衰曲線を求めることができる。特に、第１プロジェクタ及び第２プロジェクタの個体差が大きな場合に好適である。
【００１２】
以上のような本発明に係るプロジェクションシステムの光量調整方法は、ＣＣＤカメラ等の撮像装置を利用して、プロジェクションシステムや、プロジェクタで自動的に実施することもでき、前述した作用及び効果と同一の作用及び効果を享受することができる。
すなわち、本発明に係るプロジェクションシステムは、
投射画像の端部領域が重ね合わされ、全体画像を形成する複数のプロジェクタと、前記複数のプロジェクタの投射画像の表示を制御する表示制御装置とを備えたプロジェクションシステムであって、
投射画像の重ね合わせ領域を撮像する撮像装置を備え、
前記表示制御装置は、
前記プロジェクタの投射画像における重ね合わせ領域の内側端部から外側端部に向かう光量減衰曲線を複数設定する光量減衰曲線設定手段と、
前記光量減衰曲線設定手段で設定された複数の光量減衰曲線に基づく複数の表示画像を、前記重ね合わせ領域に同時に表示する画像同時表示手段と、
同時に表示された複数の表示画像を、前記撮像装置で撮像して取り込む撮像信号取込手段と、
前記撮像信号取込手段で取り込まれた前記重ね合わせ領域の撮像信号に基づいて、該重ね合わせ領域の特徴量を解析する特徴量解析手段と、
前記特徴量解析手段の解析結果に基づいて、前記複数の表示画像の中からいずれかの表示画像を選択する表示画像選択手段とを備え、
前記光量減衰曲線設定手段は、
前記表示画像選択手段で選択された表示画像に係る光量減衰曲線に基づいて、異なる光量減衰曲線を設定することを特徴とする。
【００１３】
また、本発明に係るプロジェクタは、
光源から射出された光束を、入力される画像信号に応じて変調して光学像を形成し、投射するプロジェクタであって、
他のプロジェクタの投射画像の端部領域を重ね合わせ、全体画像を形成するように用いられ、
投射画像の重ね合わせ領域を撮像する撮像装置と、
前記プロジェクタの投射画像における重ね合わせ領域の内側端部から外側端部に向かう光量減衰曲線を複数設定する光量減衰曲線設定手段と、
前記光量減衰曲線設定手段で設定された複数の光量減衰曲線に基づく複数の表示画像を、前記重ね合わせ領域に同時に表示する画像同時表示手段と、
同時に表示された複数の表示画像を、前記撮像装置で撮像して取り込む撮像信号取込手段と、
前記撮像信号取込手段で取り込まれた前記重ね合わせ領域の撮像信号に基づいて、該重ね合わせ領域の特徴量を解析する特徴量解析手段と、
前記特徴量解析手段の解析結果に基づいて、前記複数の表示画像の中からいずれかの表示画像を選択する表示画像選択手段とを備え、
前記光量減衰曲線設定手段は、
前記表示画像選択手段で選択された表示画像に係る光量減衰曲線に基づいて、異なる光量減衰曲線を設定することを特徴とする。
【発明を実施するための最良の形態】
【００１４】
以下、本発明の実施の形態を図面に基づいて説明する。
［第１実施形態］
図１には、本発明の第１実施形態に係るマルチプロジェクションシステム１が示されており、このマルチプロジェクションシステム１は、第１プロジェクタ２、第２プロジェクタ３、表示制御装置としてのコンピュータ４、及びこれらを接続するデジタルケーブル４Ａを備える。
第１プロジェクタ２の投射画像Ａ１及び第２プロジェクタ３の投射画像Ａ２は、端部領域で重ね合わされ、全体画像を形成する。重ね合わせ領域ＡＣでは、プロジェクタ２、３の投射画像Ａ１、Ａ２のそれぞれの光量が重畳することとなるため、プロジェクタ２、３の重ね合わせ領域ＡＣの部分は、減光処理を行う必要があり、この減光処理は、コンピュータ４で実施される。
【００１５】
第１プロジェクタ２及び第２プロジェクタ３は、図示を略したが、光源と、この光源から射出された光束を、赤色光、緑色光、及び青色光の３色光に分離する色分離光学装置と、この色分離光学装置で分離された各色光について、入力された画像信号に応じて変調して光学像を形成する液晶パネル等の３つの光変調装置と、各光変調装置で変調された光学像を合成する色合成光学装置と、この色合成光学装置で合成された光学像を投射する投射光学装置とを備えて構成される。
【００１６】
コンピュータ４は、図２では図示を略したが、プロジェクタ２、３に部分画像信号を出力する部分であり、このコンピュータ４では、重ね合わせ領域ＡＣの部分の光量調整を行えるようになっている。
具体的には、コンピュータ４は、ユーザインターフェース４１、光量減衰曲線設定手段４２、光量減衰マスク生成手段４３、記憶装置４４、表示画像生成手段４５、第１フレームバッファ４６、画像合成手段４７、第２フレームバッファ４８、及び画像表示制御手段４９を備える。
【００１７】
ユーザインターフェース４１は、観察者が操作して、良好な表示画像を選択したり、パラメータＧ、ΔＧの初期値を設定したりする部分であり、キーボードやマウス等のデバイスが例示できる。
光量減衰曲線設定手段４２は、プロジェクタ２、３の投射画像Ａ１、Ａ２における内側から外側に向かう重ね合わせ領域ＡＣの光量減衰曲線を設定する部分である。具体的には、光量減衰曲線設定手段４２は、投射画像Ａ１、Ａ２の外側端部から内側に向かう位置をｘ、光量の強度を決定する補正パラメータをＧとしたときに、下記式（２）を光量減衰曲線Ｆ（ｘ，Ｇ）を与える式として設定し、補正パラメータＧを偏光することで種々の光量減衰曲線を設定する。
Ｆ（ｘ，Ｇ）＝ｘＧ・・・（２）
【００１８】
すなわち、光量減衰曲線設定手段４２は、図３に示されるように、第１プロジェクタ２であれば、投射画像Ａ１の端部から内側に向かうｘ１方向の重ね合わせ領域ＡＣ内の光量の強度を決定する補正パラメータＧの値を変化させて複数の光量減衰曲線Ｆ（ｘ，Ｇ）を設定している（例えば、Ｇ＝１とすると直線となり、Ｇ＝２．２とすると、ディスプレイにおけるガンマ補正曲線となる）。
一方、第２プロジェクタ３であれば、投射画像Ａ２の端部から内側に向かうｘ２方向の重ね合わせ領域ＡＣ内の光量の減衰の程度を変化させることとなるが、ｘ１とは方向が逆向きとなる。
【００１９】
光量減衰曲線設定手段４２は、詳しくは後述するが、補正パラメータの基準値に対して、十分に小さな減衰量ΔＧをＧから加算、減算することにより、複数の光量減衰曲線Ｆ（ｘ，Ｇ−ΔＧ）、Ｆ（ｘ，Ｇ）、Ｆ（ｘ，Ｇ＋ΔＧ）という３種類の光量減衰曲線を設定する。尚、補正パラメータＧの初期値を１とした場合、十分に小さな減衰量ΔＧとしては、例えば、０．１等が採用できる。
また、光量減衰曲線設定手段４２は、減衰量ΔＧの閾値ΔＧminを保持しており、後述する光量調整方法により、減衰量ΔＧの値を減衰させていったときに、閾値ΔＧminよりも小さくなったら、光量減衰曲線の設定を終了する。
【００２０】
光量減衰マスク生成手段４３は、光量減衰曲線設定手段４２で生成された３種類に基づいて、減光マスクを生成する。具体的には、第１プロジェクタ２の場合であれば、図４に示されるように、補正パラメータＧ１−ΔＧの場合の光量減衰変化、補正パラメータＧ１の場合の光量減衰変化、補正パラメータＧ１＋ΔＧの場合の光量減衰変化となる減光マスクを生成する。同様に、第２プロジェクタ３の場合には、図５に示されるように、逆向きの光量減衰変化となるような減光マスクを生成する。
【００２１】
光量減衰マスク生成手段４３は、第１プロジェクタ２及び第２プロジェクタ３における光量減衰曲線の減光マスク形成位置を、第１プロジェクタ２と第２プロジェクタ３とで対応させており、例えば、第１プロジェクタ２のＧ１−ΔＧの減光マスク位置には、第２プロジェクタ３のＧ２−ΔＧの減光マスク位置、第１プロジェクタ２のＧ１の減光マスク位置には、第２プロジェクタ３のＧ２の減光マスク位置、第１プロジェクタ２のＧ１＋ΔＧの減光マスク位置には、第２プロジェクタ３のＧ２＋ΔＧの減光マスク位置が対応する。
但し、光量減衰マスク生成手段４３は、Ｇ−ΔＧ、Ｇ、Ｇ＋ΔＧのマスク形成位置を、この序列で常に形成する訳ではなく、順番を変更してランダムな位置に各減光マスクを配置するようにしており、これにより、観察者の眼が慣れて誤った選択を行うことを防止している。
【００２２】
記憶装置４４には、検査用のチャート画像が記憶されており、例えば、全白色のチャート画像データ等が格納されている。尚、チャート画像はこれに限らず、赤色画像、緑色画像、青色画像等のチャート画像を採用することができ、前述した三板式の第１プロジェクタ２及び第２プロジェクタ３であれば、これらのチャート画像を採用することにより、各光変調装置について、最適な光量減衰曲線を求められるので、高精度化を図ることができる。
表示画像生成手段４５は、この記憶装置４４に格納されたチャート画像データを呼び出して、第１フレームバッファ４６にフレーム単位の画像として記憶する。
【００２３】
画像合成手段４７は、前述した光量減衰マスク生成手段４３で生成された複数の減光マスクが書き込まれた画像データと、表示画像生成手段４５で生成され、第１フレームバッファ４６に記憶されたチャート画像データを合成して、最終的な複数の光量減衰曲線に応じた表示画像を生成し、第２フレームバッファ４８に書き込む。
画像表示制御手段４９は、第２フレームバッファ４８に書き込まれた画像データに基づいて、第１プロジェクタ２及び第２プロジェクタ３の画像表示制御を行う。
尚、前述した光量減衰マスク生成手段４３、画像合成手段４７、及び画像表示制御手段４９が、本発明にいう画像同時表示手段を構成する。
【００２４】
表示画像選択手段５０は、画像表示制御手段４９からプロジェクタ２、３に出力された複数の表示画像の中から、観察者にどれが良好な表示画像であるかの選択を促す画面を提示する部分であり、この画面は、コンピュータ４のディスプレイ上に表示される。観察者による選択は、観察者が、キーボード、マウス等のユーザインターフェース４１を選択することにより行われる。
観察者が選択した表示画像の情報は、光量減衰曲線設定手段４２に出力される。
【００２５】
次に、前述の構造のマルチプロジェクションシステム１によって実施されるプロジェクションシステムの光量調整方法を、図６に示されるフローチャートに基づいて説明する。
まず、光量減衰曲線設定手段４２は、観察者のユーザインターフェース４１の操作により入力された補正パラメータＧ、及び減衰量ΔＧの初期値を設定する（手順Ｓ１）。続けて、光量減衰曲線設定手段４２は、補正パラメータＧ、及び減衰量ΔＧの初期値と、式（２）に基づいて、光量減衰曲線を与えるＦ（ｘ，Ｇ−ΔＧ）、Ｆ（ｘ，Ｇ）、Ｆ（ｘ，Ｇ＋ΔＧ）を設定する（手順Ｓ２）。
光量減衰マスク生成手段４３は、設定された光量減衰曲線Ｆ（ｘ，Ｇ−ΔＧ）、Ｆ（ｘ，Ｇ）、Ｆ（ｘ，Ｇ＋ΔＧ）に基づいて、図５に示されるような３種類の減光マスクを、重ね合わせ領域に相当する部分に配置して、減光マスク画像データを生成する。
【００２６】
そして、画像合成手段４７は、表示画像生成手段４５で生成され、第１フレームバッファ４６に記憶されたチャート画像データと、光量減衰マスク生成手段４３で生成された画像を合成し、第２フレームバッファ４８に書き込むと、画像表示制御手段４９により第１プロジェクタ２及び第２プロジェクタ３により、重ね合わせ領域ＡＣに３種類の表示画像が表示される（手順Ｓ３）。
表示画像選択手段５０は、観察者に対して複数の表示画像のうち、どの表示画像が最も良好であるかの選択を促す画面をコンピュータ４上に表示し（手順Ｓ４）、その選択に基づいて、光量減衰曲線設定手段４２は、観察者によって選択された表示画像を与える補正パラメータを基準値として設定する（手順Ｓ５）。
【００２７】
次に、光量減衰曲線設定手段４２は、再帰的に上記手順Ｓ２乃至Ｓ６を繰り返したときに、基準値に全く変化がない、すなわち、光量減衰曲線Ｆ（ｘ，Ｇ−ΔＧ）、Ｆ（ｘ，Ｇ）、Ｆ（ｘ，Ｇ＋ΔＧ）のうち、常にＦ（ｘ，Ｇ）が選択されているかを判定し（手順Ｓ６）、変化がないと判定した場合には、その値に基づく表示画像が最も良好な表示画像であると判定して、処理を終了する。
さらに、光量減衰曲線設定手段４２は、手順Ｓ２乃至手順Ｓ１０の再帰的な処理において、後述する手順Ｓ１０により減衰量ΔＧを減衰させたときに、所定の閾値ΔＧmin未満となっているかどうかを判定し（手順Ｓ７）、減衰量ΔＧが閾値ΔＧmin未満になったと判定されたら、この場合も、基準値に係る表示画像が最も良好な表示画像であると判定して、処理を終了する（手順Ｓ７）。
【００２８】
光量減衰曲線設定手段４２は、再帰的に手順Ｓ２乃至手順Ｓ１０を繰り返して、前回の選択結果と、今回の選択結果が同じ場合、例えば、２回連続してＦ（ｘ，Ｇ＋ΔＧ）が良好な表示画像として選択されたか否かを判定し（手順Ｓ８）、さらに、これを何回繰り返しても変化の方向性に差がでないかどうかを判定する。（手順Ｓ９）
何回繰り返しても変化の方向性に変化がないと判定された場合、光量減衰曲線設定手段４２は、現在のパラメータ初期値が最も適切なパラメータ値からあまりにもかけ離れているとして、パラメータ初期値の設定を行い（手順Ｓ１）、手順Ｓ２から繰り返す。
一方、光量減衰曲線設定手段４２が、まだ少ない回数であると判定した場合、ΔＧの値をそのままにして、再帰的に手順Ｓ２からの手順を繰り返す。
さらに、手順Ｓ８において、２回連続していなかった場合、つまり、前回はＦ（ｘ，Ｇ＋ΔＧ）であったのが、今回は、Ｆ（ｘ，Ｇ−ΔＧ）又はＦ（ｘ，Ｇ）であった場合は、設定された光量減衰曲線に基づく表示画像が、最適値に近づいたと判定できるので、光量減衰曲線設定手段４２は、減衰量ΔＧを減衰する設定を行い（手順Ｓ１０）、手順Ｓ２からを繰り返す。
【００２９】
前述したマルチプロジェクションシステム１の光量調整方法は、第１プロジェクタ２及び第２プロジェクタ３の個体差、つまり投射画像の特性の差が少ない場合には問題がない。
しかしながら、第１プロジェクタ２及び第２プロジェクタ３の個体差が大きな場合には、図７に示されるように、第１プロジェクタ２の光量調整に際しては、第２プロジェクタ３の投射画像Ａ２における重ね合わせ領域ＡＣの光量減衰曲線のパラメータをＧ２＝一定としておく。
そして、第１プロジェクタ２において、投射画像Ａ１の重ね合わせ領域ＡＣで手順Ｓ１から手順Ｓ５を実施して良好な表示画像が選択された後、選択された良好なパラメータＧ１で第１プロジェクタ２の投射画像Ａ１の重ね合わせ領域ＡＣの光量減衰曲線を固定し、第２プロジェクタ３について、手順Ｓ１から手順Ｓ５を実施し、以後、これを繰り返して交互に実施するのが好ましい。
【００３０】
以上のような方法によれば、複数の光量減衰曲線に基づく複数の表示画像の中から、観察者が最も良好と判断した表示画像を選択し、変化の方向性が変わったときに、ΔＧを減少させるような処理を行っているので、段階的に最も良好な光量減衰曲線に基づく表示画像に収束させることができ、確実にかつコストをかけることなく、重ね合わせ領域ＡＣの光量減衰直線の最適化を図ることができる。
また、式（２）のような単純な式で光量減衰曲線を設定することにより、補正パラメータＧを変化させるだけで、簡単に複数の光量減衰曲線Ｆ（ｘ，Ｇ）を設定することができる。
さらに、前述のように、第１プロジェクタ２と第２プロジェクタ３との間に個体差が大きい場合であっても、第１プロジェクタ２及び第３プロジェクタ３の光量調整を交互に行うことにより、重ね合わせ領域ＡＣの光量調整の最適化を図ることができる。
【００３１】
［第２実施形態］
次に、本発明の第２実施形態について説明する。尚、以下の説明では、既に説明した部分と同一の部分等については、同一符号を付して説明を省略する。
前述した第１実施形態では、複数の光量減衰曲線Ｆ（ｘ，Ｇ−ΔＧ）、Ｆ（ｘ，Ｇ）、Ｆ（ｘ，Ｇ＋ΔＧ）に基づく表示画像が表示された際、最も良好な表示画像の選択は、観察者が行っていた。
【００３２】
これに対して、本実施形態では、プロジェクタが撮像装置を備え、プロジェクタの内部の制御手段５において、最も良好な表示画像の選択が自動的に行われている点が相違する。
また、前記第１実施形態では、光量減衰曲線設定手段４２による光量減衰曲線の設定は、式（２）によって行っていた。
これに対して、本実施形態では、異なる式を用いて光量減衰曲線の設定を行っている点が相違する。以下、本実施形態について詳述する。
【００３３】
第２実施形態に係るプロジェクタは、図８に示されるように、光変調装置としての液晶パネル５１の画像表示制御を行う制御手段５と、ＣＣＤカメラ５２とを備える。
制御手段５は、ＣＣＤカメラ５２で撮像された撮像信号を処理するための撮像信号取込手段５３及び特徴量解析手段５４とを備え、光量減衰曲線の設定を行う光量減衰曲線設定手段５５と、表示画像の選択を行う表示画像選択手段５６が第１実施形態と相違する。
ＣＣＤカメラ５２は、プロジェクタから投射される投射画像の重ね合わせ領域、及び重ね合わせ領域以外の投射画像を撮像して、電気信号に変換して出力する撮像装置である。
撮像信号取込手段５３は、ＣＣＤカメラ５２を制御して、必要に応じて撮像信号を制御手段５内に取り込む。
【００３４】
特徴量解析手段５４は、撮像信号取込手段５３によって取り込まれた撮像信号に基づいて、重ね合わせ領域と重ね合わせ領域以外の特徴量を取得する部分である。特徴量としては、例えば、投射画像の明るさの分布値が考えられる。
光量減衰曲線設定手段５５は、所定の式に基づいて、光量減衰曲線を複数設定するが、第１実施形態とは異なり、光量減衰曲線を適用する開始位置Ｄをパラメータに加えた下記式（３）に基づいて光量減衰曲線を設定する。
Ｆ’（ｘ，Ｇ，Ｄ）＝（ｘ−Ｄ）Ｇ・・・（３）
表示画像選択手段５６は、特徴量解析手段５４の解析結果に基づいて、重ね合わせ領域ＡＣに同時表示された表示画像のいずれかを選択する。選択は、例えば、投射画像Ａ１内の重ね合わせ領域ＡＣ以外の明るさの分布と、重ね合わせ領域ＡＣ内の分布とを対比して、その差が最も少ない表示画像を選択する。重ね合わせ領域ＡＣの境界は、投射画像Ａ１の重ね合わせ領域ＡＣとは反対側の端部からの距離で求めることができる。
【００３５】
前述した式（３）によって光量減衰曲線を設定する際、開始位置Ｄが、重ね合わせ領域ＡＣよりも外側の開始位置Ｄ−ΔＤとする場合、重ね合わせ領域ＡＣに一致した位置Ｄとする場合、重ね合わせ領域ＡＣの内側の開始位置Ｄ＋ΔＤの３水準が考えられ、補正パラメータＧの水準がＧ−ΔＧ、Ｇ、Ｇ＋ΔＧの３水準であることを考慮すると、式（３）で求められる光量減衰曲線は、Ｆ’（ｘ，Ｇ−ΔＧ，Ｄ−ΔＤ）、Ｆ’（ｘ，Ｇ−ΔＧ，Ｄ）、Ｆ’（ｘ，Ｇ，Ｄ）、Ｆ’（ｘ，Ｇ＋ΔＧ，Ｄ）、Ｆ’（ｘ，Ｇ−ΔＧ，Ｄ＋ΔＤ）、Ｆ’（ｘ，Ｇ，Ｄ＋ΔＤ）、Ｆ’（ｘ，Ｇ＋ΔＧ，Ｄ＋ΔＤ）となり、図９に示されるように９つの表示画像を同時に表示が必要となる。
【００３６】
しかしながら、９つの表示画像を同時に表示して最も良好な表示画像を選択し、開始位置Ｄ、補正パラメータＧを変化させながら、再度新たな光量減衰曲線を９つ設定するのは、複雑な処理となってしまう。
そこで、本実施形態における光量減衰曲線設定手段５５では、初めに開始位置Ｄを固定しておき、補正パラメータＧを変化させ、最も良好な表示画像を与える補正パラメータＧを求めた後、開始位置Ｄを変化させ、最も良好な表示画像を与える開始位置Ｄを求めるようにしている。
このような処理を行えば、第１実施形態と同様に、３つの表示画像を表示して、その調整方法も第１実施形態とまったく同様の方法を採用することができ、補正パラメータＧ及び開始位置Ｄの最適化を図ることが可能である。
【００３７】
このような本実施形態によれば、前述した第１実施形態と同様の効果を享受できる上、次のような効果も享受できる。
プロジェクタがＣＣＤカメラ５２及び撮像信号取込手段５３を備え、特徴量解析手段５４が撮像データの特徴量の解析を行っているので、表示画像選択手段５６が自動的に判定して、最も良好な表示となる表示画像を選択することが可能となる。
また、表示画像選択手段５６が３種類の表示画像の中から最も良好な表示画像を選択しているため、撮像データとして各々の表示画像の特徴量を比較できる程度の精度のＣＣＤカメラ５２で十分であり、高精度、高価格のＣＣＤカメラを必要とせず、プロジェクタの部品コストの低減を図ることができる。
【００３８】
［実施形態の変形］
尚、本発明は前述した実施形態に限定されるものではなく、以下に示すような変形を含むものである。
前述した第１実施形態では、光変調装置として液晶パネルを用いたプロジェクタによりマルチプロジェクションシステム１を構築していたが、これに限らず、マイクロミラーを用いたデバイスを用いたプロジェクタによりプロジェクションシステムを構築した場合であっても、本発明に係るプロジェクションシステムの光量調整方法を実施することができる。
【００３９】
また、前述した第２実施形態では、プロジェクタの内部の制御手段５上で本発明に係るプロジェクションシステムの調整方法を自動的に実施するようにしていたが、本発明はこれに限らず、第１実施形態のようなマルチプロジェクションシステム１を構成する表示制御装置としてのコンピュータ４上で自動的に実施できるようにしてもよい。
その他、本発明の実施の際の具体的な構造及び手順等は、本発明の目的を達成できる範囲で他の構造等としてもよい。
【図面の簡単な説明】
【００４０】
【図１】本発明の第１実施形態に係るプロジェクションシステムの構成を表す模式図。
【図２】前記実施形態における表示制御装置の構造を表すブロック図。
【図３】前記実施形態における光量減衰曲線を説明するための模式図。
【図４】前記実施形態における第１プロジェクタの複数の表示画像の同時表示を説明するための模式図。
【図５】前記実施形態における第２プロジェクタの複数の表示画像の同時表示を説明するための模式図。
【図６】前記実施形態における光量調整方法を説明するためのフローチャート。
【図７】前記実施形態における第１プロジェクタ及び第２プロジェクタで交互に光量調整を行う方法を説明するための模式図。
【図８】本発明の第２実施形態に係るプロジェクタの制御手段の構造を表すブロック図。
【図９】前記実施形態における複数の表示画像の表示例を表す模式図。
【符号の説明】
【００４１】
１…マルチプロジェクションシステム、２…第１プロジェクタ、３…第２プロジェクタ、４…コンピュータ、４Ａ…デジタルケーブル、５…制御手段、４１…ユーザインターフェース、４２…光量減衰曲線設定手段、４３…光量減衰マスク生成手段、４４…記憶装置、４５…表示画像生成手段、４６…第１フレームバッファ、４７…画像合成手段、４８…第２フレームバッファ、４９…画像表示制御手段、５０…表示画像選択手段、５１…液晶パネル、５２…ＣＣＤカメラ、５３…撮像信号取込手段、５４…特徴量解析手段、５５…光量減衰曲線設定手段、５６…表示画像選択手段、Ａ１…投射画像、Ａ２…投射画像、ＡＣ…重ね合わせ領域、Ｄ…開始位置
【図１】
2009237051.tif 000003
【図２】
2009237051.tif 000004
【図３】
2009237051.tif 000005
【図４】
2009237051.tif 000006
【図５】
2009237051.tif 000007
【図６】
2009237051.tif 000008
【図７】
2009237051.tif 000009
【図８】
2009237051.tif 000010
【図９】
2009237051.tif 000011